(57)【特許請求の範囲】
【請求項１】
本体ケースの内部に、磁気テープを巻き取る左右一対のハブと、不使用時に前記両ハブを回転不能にロック保持するハブロック構造とが設けられており、
前記ハブロック構造は、前後方向へスライド変位するロック枠を含み、該ロック枠は、前記本体ケースを構成する上ケースの内面前半側に配置されており、
前記上ケースの内面後側に、前記各ハブに巻層され、前記ロック枠で受け止められた前半側のテープ巻層の傾きを規制する規制体が、該上ケースの内面からリブ状に膨出形成してあることを特徴とするテープカートリッジ。
【請求項２】
前記規制体が、前記上ケースの内面におけるハブロック構造の厚み寸法とほぼ同じ膨出寸法の横長リブ状に形成されており、
前記規制体の長さ方向の両端部に、前記テープ巻層との衝突を回避する逃げ面が形成してある請求項１記載のテープカートリッジ。
【請求項３】
前記規制体を構成するリブの下端には平坦部が形成されており、
前記逃げ面が、前記規制体の端部を、前記リブの平坦部から上ケースの内面側へ向かって丸めて形成してある請求項１または２記載のテープカートリッジ。
【請求項４】
前記規制体を構成するリブの下端には平坦部が形成されており、
前記逃げ面が、前記規制体の端部を、前記リブの平坦部から上ケースの内面側へ向かって下り傾斜させて形成してある請求項１または２記載のテープカートリッジ。
【請求項５】
前記規制体の前記リブの平坦部、および前記逃げ面のそれぞれの前後縁が丸めてある請求項３または４記載のテープカートリッジ。
【請求項６】
前記上ケースの内面に、透明プラスチック材で形成された窓板が固定されており、
前記規制体が、前記窓板の内面に一体形成してある請求項１から５のいずれかに記載のテープカートリッジ。
【発明の詳細な説明】
【技術分野】
【０００１】
本発明は、コンピューターデータなどを記録するためのテープカートリッジ、なかでも磁気テープがハブに巻層してあるテープカートリッジに関する。
【背景技術】
【０００２】
磁気テープをハブに巻層する形態のテープカートリッジの基本構造は、例えば特許文献１に公知である。そこでは、本体ケースの内部左右にハブを配置し、一方のハブから繰り出した磁気テープを他方のハブで巻き取るテープ送り構造になっている。本体ケースの内部には、不使用時のハブの回転を規制してテープ緩みを防ぐためのハブロック構造が設けてある。
【０００３】
ハブロック構造は、周面にギヤ歯状のロック歯が形成してあるロックギヤと、前後方向へスライド変位するロック枠と、ロック枠と一体形成されて先のロックギヤと係脱するロック爪と、ロック枠をロックギヤへ向かって移動付勢するばねなどで構成されている。ロックギヤを除く構成部品は、上ケースの内面に組み込んである。なお、ロックギヤはハブと一体に成形してある。
【０００４】
【特許文献１】特公平６−９７５４９号公報（第３頁左欄２０行、第３図）
【発明の開示】
【発明が解決しようとする課題】
【０００５】
上記のように磁気テープをハブに巻層する形態のテープカートリッジにおいては、上下のフランジを備えたテープリールとは異なり、ハブに巻かれたテープ巻層の上面および下面が本体ケース内に露出する。そのため、テープカートリッジが落下衝撃を受けるような場合に、テープ巻層が本体ケースの内面壁に衝突してテープ縁が傷付けられるおそれがある。本体ケースの内面上下には、回転駆動時のテープ巻層の接触摩擦を軽減するために滑性シートが配置してあり、この滑性シートによって先のようなテープ縁の傷付きをある程度は防止できる。
【０００６】
しかし、上ケースの内面の前半部分にハブロック構造が配置してあると、テープカートリッジを上下に反転した状態においては、テープ巻層の前半側が滑性シートを介してロック枠で受け止められるので、ハブおよびテープ巻層は斜めに傾いた状態で支持される。そのため、テープカートリッジが上下に反転した状態で落下衝撃を受けるような場合に、テープ巻層の後半部の外縁付近がケース壁に衝突して、テープ縁が傷付き、あるいはテープ巻層の外側一部がハブの軸心方向へずれ動くことがある。
【０００７】
本発明の目的は、テープカートリッジが上下に反転した状態で落下衝撃を受ける場合に、テープ巻層の後半外縁付近がケース壁に衝突し、テープ縁が傷付くのを解消でき、あるいはテープ巻層の外側一部がハブの軸心方向へずれ動くのを防止して、磁気テープを常に好適な状態に維持できるテープカートリッジを提供することにある。
【課題を解決するための手段】
【０００８】
本発明のテープカートリッジは、本体ケース１の内部に、磁気テープ２を巻き取る左右一対のハブ３・３と、不使用時に両ハブ３を回転不能にロック保持するハブロック構造とが設けてある。ハブロック構造は、前後方向へスライド変位するロック枠１６を含み、該ロック枠１６は、本体ケース１を構成する上ケース１ａの内面前半側に配置してある。上ケース１ａの内面後側に、各ハブ３に巻層され、ロック枠１６で受け止められた前半側のテープ巻層２ａの傾きを規制する規制体３３を該上ケース１ａの内面からリブ状に膨出形成してある。
【０００９】
規制体３３は、上ケース１ａの内面におけるハブロック構造の厚み寸法Ｔとほぼ同じ膨出寸法Ｂの横長リブ状に形成する。規制体３３の長さ方向の両端部に、テープ巻層２ａとの衝突を回避する逃げ面３４を形成する。
【００１０】
図６に示すように、規制体３３を構成するリブの下端には平坦部が形成する。逃げ面３４は、規制体３３の端部を、リブの平坦部から上ケース１ａの内面側へ向かって丸めて形成する。
【００１１】
図７（ａ）に示すように、規制体３３を構成するリブの下端には平坦部が形成する。逃げ面３４は、規制体３３の端部を、リブの平坦部から上ケース１ａの内面側へ向かって下り傾斜させて形成する。
【００１２】
図７（ｂ）に示すように、規制体３３のリブの平坦部および逃げ面３４のそれぞれの前後縁は丸めておく。
【００１３】
上ケース１ａの内面に、透明プラスチック材で形成された窓板２０を固定する。この窓板２０の内面に規制体３３を一体形成する。
【発明の効果】
【００１４】
本発明においては、ハブロック構造は、前後方向へスライド変位するロック枠を含むものとし、加えて上ケース１ａの内面後側に規制体３３を上ケースの内面からリブ状に膨出形成したので、テープカートリッジが上下に反転した状態で落下衝撃を受けるような場合に、ハブロック構造と規制体３３とでテープ巻層２ａの前後面を受け止めて、テープ巻層２ａがケース後部へ向かって下り傾斜状に傾くのを防止できる。したがって、本発明のテープカートリッジによれば、落下衝撃などの大きな外力を受けるとき、テープ巻層２ａの後半部分に外力が局部的に作用するのを一掃して、テープ縁の傷付きを解消できるうえ、テープ巻層２ａの外側一部がハブ３の軸心方向へずれ動くなど、巻姿不良に陥るのを防止して、磁気テープ２を常に好適な状態に維持できるテープカートリッジが得られる。
【００１５】
規制体３３を横長リブ状に形成し、その膨出寸法Ｂをハブロック構造の厚み寸法Ｔとほぼ同じに設定すると、テープ巻層２ａの後半部分を横切る規制体３３で、広い範囲にわたってテープ巻層２ａを支持して、落下衝撃などの大きな外力を分散して受け止めることができる。さらに、ハブロック構造と規制体３３とでテープ巻層２ａの前後面をほぼ同時に受け止めて、テープ巻層２ａの傾動を早期に規制でき、全体として、テープ縁の傷付きをさらに効果的に阻止できることとなる。また、規制体３３の長さ方向の両端部に逃げ面３４を形成するので、テープ巻層２ａが斜め後方へ傾動しようとするような場合に、規制体３３の長さ方向の両端部がテープ巻層２ａと衝突して、外力が局部的に作用するのを解消できる。
【００１６】
リブの平坦部から上ケース１ａの内面側へ向かって丸めて形成した逃げ面３４によれば、規制体３３のリブの平坦部と逃げ面３４とを境界のない状態で滑らかに連続させて、規制体３３の両端にテープ巻層２ａと衝突するおそれのある角部分（コーナー）が形成されるのを防止して、常に確実にテープ縁の傷付きを解消できる。
【００１７】
リブの平坦部から上ケース１ａの内面側へ向かって下り傾斜させた逃げ面３４によれば、逃げ面３４とリブの平坦部との境界付近における膨出寸法の変化幅を大きくすることができるので、テープ巻層２ａが余裕寸法の範囲内で傾動する場合に、逃げ面３４にテープ巻層２ａが接触するのをよく防止できる。
【００１８】
リブの平坦部、および下り傾斜面３３ｂのそれぞれの前後縁を丸めると、テープ巻層２ａの周縁におけるテープ縁がリブの平坦部および下り傾斜面３３ｂの前後縁と接触して傷付くのを防止でき、テープ縁の傷付きをさらに効果的に阻止できる。
【００１９】
規制体３３を、上ケース１ａの内面に配置した窓板２０と一体に形成すると、例えば規制体３３を上ケース１ａと一体に形成する場合に比べて、窓板２０の厚み寸法分だけ規制体３３の突出寸法を小さくできるので、規制体３３を付加することに伴う上ケース１ａの成形不良（ヒケ）を避けることができる。
【発明を実施するための最良の形態】
【００２０】
（実施例）  図１ないし図６は本発明に係るテープカートリッジの実施例を示す。図２および図３においてテープカートリッジは、薄い角箱状の本体ケース１の内部に、磁気テープ２を巻き取る左右一対のハブ３・３と、不使用時に両ハブ３を回転不能にロック保持するハブロック構造とを配置し、本体ケース１の下面側にハブ３用の駆動穴４（図１参照）を開閉するシャッター５を配置して構成してある。
【００２１】
本体ケース１は上下に分割された上下ケース１ａ・１ｂを接合して構成してあり、その内部は、ハブ３やハブロック構造などを収容する主室６と、主室６の前部に設けられるローディングポケット７とに区分してある。主室６とローディングポケット７とは、上下ケース１ａ・１ｂの内面に設けた区分壁８で区画してある。ローディングポケット７の左右には一対のテープガイド９が設けてあり、これらのテープガイド９で磁気テープ２をローディングポケット７の前面に沿って案内支持している。
【００２２】
不使用時におけるローディングポケット７の前面および上面は、上ケース１ａに組み付けたリッド１１で覆われ、ローディングポケット７の下面はシャッター５で覆われている。リッド１１は図示していない捻りコイル形のばねで閉じ勝手に付勢してあり、シャッター５は図３に示す捻りコイル形のばね１２で閉じ勝手に付勢してある。
【００２３】
テープカートリッジをテープドライブに装填すると、まずシャッター５がばね１２の付勢力に抗してケース後方へ向かって開放操作されて、ローディングポケット７の下面および駆動穴４を開放する。次いでリッド１１がばねの付勢力に抗して上開き揺動操作されて、ローディングポケット７の前面が開放される。同時に、リッド１１の上開き揺動動作を利用してハブロック構造をロック解除操作することにより、ハブ３を回転駆動可能な状態にできる。この状態で、テープドライブ側の駆動軸がハブ３と係合し、左右のテープガイド９で保持された磁気テープ２を、ローディングピンで本体ケース１の外面へ引き出すことができる。
【００２４】
図３において、ハブロック構造は、周面にギヤ歯状のロック歯が周回状に形成してあるロックギヤ１５と、前後方向へスライド変位するロック枠１６と、ロック枠１６と一体形成される左右一対のロック爪１７と、ロック枠１６をロックギヤ１５へ向かって移動付勢するばね１８とで構成する。ロックギヤ１５はハブ３と一体に成形されて、その周囲が窓板２０の内面に設けたリング壁２１で囲まれている（図１参照）。
【００２５】
ロック枠１６の両側には連動片２２が一体に形成してあり、これらの連動片２２をリッド１１の側壁でケース前方へ引き出し操作することにより、ロック枠１６をばね１８の付勢力に抗してロック解除操作できる。先のリング壁２１の前側には、ロック爪１７の出入りを許す切欠２３が形成してある。ばね１８は、コイル部に連続して一対の長いばね腕を連出した捻りコイルばねからなり、図３に示すように、左右一対のばね腕がロック枠１６に掛止固定され、コイル部分が区分壁８で受け止められている。
【００２６】
図４および図５に示すように、ロック枠１６の上面側の中途部左右には、一対のスライドブロック２６が一体に形成され、その外側面に掛止片２７が張り出してある。これらの掛止片２７を、上ケース１ａの内面に設けたガイド片２８に掛止装着することにより、ロック枠１６が前後スライド可能に案内支持される。この状態のロック枠１６はガイド片２８で支持されているので、上ケース１ａから分離することはない。図１において符号２９はプラスチック製の滑性シートである。
【００２７】
上記のように、上ケース１ａの内面の前半部分にハブロック構造が配置されたテープカートリッジを上下に反転した状態においては、ハブ３に巻かれたテープ巻層２ａの前半側が滑性シート２９を介してロック枠１６で受け止められるので、ハブ３およびテープ巻層２ａが斜めに傾いた状態となる。このようなハブ３およびテープ巻層２ａの傾きを防止するために、上ケース１ａの内面後側にテープ巻層２ａを受け止める規制体３３を形成する。この実施例では、上ケース１ａの内面に固定される透明プラスチック材製の窓板２０を利用して、規制体３３を窓板２０と一体に形成した。
【００２８】
図６に示すように、規制体３３は、ハブ３に巻かれたテープ巻層２ａの巻層領域を左右に横断する、断面四角形で左右横長のリブとして形成してある。図１に示すように、規制体３３の膨出寸法Ｂは、上ケース１ａの内面に装着したロック枠１６の厚み寸法Ｔと同じに設定してある。したがって、テープカートリッジを上下に反転した状態においては、テープ巻層２ａを規制体３３とロック枠１６とで同一平面上に支持して、ハブ３およびテープ巻層２ａが傾動するのを解消できる。
【００２９】
図３および図４に示すように、規制体３３の両端は、満巻状態のテープ巻層２ａにおける巻層領域の内側に位置している。そのため、落下衝撃を受けたテープ巻層２ａが、斜後ろ向きに傾動するような場合に、規制体３３の両端の隅部がテープ巻層２ａに衝突して、テープ縁を傷付けるおそれがある。このようなテープ縁の傷付きを防ぐために、規制体３３の両側端の隅部に、テープ巻層２ａとの衝突を回避する逃げ面３４を形成している。図６に示すように、この実施例における逃げ面３４は、規制体３３の端部を膨出端面３３ａ（リブの平坦部）から上ケース１ａの内面側へ向かって丸めて形成した。
【００３０】
規制体３３は、テープ巻層２ａの最大巻層領域の範囲内で、ハブ３よりケース後方に配置してあればよいが、好ましくはテープ巻層２ａの最大巻層領域の６５〜９５％の領域に規制体３３を配置することが好ましい。
【００３１】
逃げ面３４は、図７（ａ）・（ｂ）に示すように形成することができる。図７（ａ）では、逃げ面３４を膨出端面３３ａから上ケース１ａの内面側へ向かって緩やかに下り傾斜させて形成した。この場合には、逃げ面３４と膨出端面３３ａとの境界部分を丸めておくことにより、両者３４・３３ａの境界に角部分が形成されるのを避けることができる。
【００３２】
図７（ｂ）に示す逃げ面３４は、図７（ａ）と同様に形成したうえで、膨出端面３３ａおよび下り傾斜面３３ｂのそれぞれの前後縁を丸めて、テープ巻層２ａが規制体３３で支持されるとき、テープ縁が膨出端面３３ａおよび下り傾斜面３３ｂの前後縁と接当するのを防止できるようにした。
【００３３】
上記の実施例以外に、規制体３３は上ケース１ａと一体に形成することができ、必要があれば、規制体３３を、その両端がテープ巻層２ａの最大巻層領域から左右にはみ出る状態で形成することができる。その場合には、規制体３３の両側端の逃げ面３４を省略することができる。規制体３３は、直線リブ状に形成する必要はなく、屈曲線状や湾曲線状など、非直線リブ状に形成することができる。さらに、テープ巻層２ａの巻層領域を左右に横断する複数個のリブで規制体３３を形成することができる。
【図面の簡単な説明】
【００３４】
【図１】図３におけるＡ−Ａ線断面図である。
【図２】テープカートリッジの外観斜視図である。
【図３】テープカートリッジの内部平面図である。
【図４】ハブロック構造が組み付けられた上ケースの底面図である。
【図５】図４におけるＣ−Ｃ線断面図である。
【図６】窓板の斜視図である。
【図７】逃げ面の別実施例を示す斜視図である。
【符号の説明】
【００３５】
１  本体ケース
２  磁気テープ
３  ハブ
１５  ロックギヤ
１６  ロック枠
１７  ロック爪
１８  ばね
２０  窓板
３３  規制体
３４  逃げ面
【図１】
0004780610.tif 000002
【図２】
0004780610.tif 000003
【図３】
0004780610.tif 000004
【図４】
0004780610.tif 000005
【図５】
0004780610.tif 000006
【図６】
0004780610.tif 000007
【図７】
0004780610.tif 000008